(57)【特許請求の範囲】
【請求項１】
入力装置により入力される検索用文字情報に基づき、該検索用文字情報に関連する画像情報を抽出画像として複数抽出する抽出手段と、
前記抽出手段により抽出された複数の抽出画像の少なくとも１つが文字列と図柄とを備えた抽出画像であり、かつ、該文字列を示す面積が該図柄を示す面積より大きい場合に、該抽出画像が文字列で構成されると判定する判定手段と、
前記文字列を拡大して表示させるための文字列表示領域を前記抽出画像の数に応じて生成するとともに、関心領域処理に基づいて、抽出された前記複数の抽出画像から集約画像を生成する生成手段と、
前記生成手段により生成された集約画像を表示させるとともに、前記生成手段により生成された文字列表示領域のそれぞれに、前記判定手段により文字列で構成されると判定された抽出画像と、前記抽出画像が備える文字列と、を当該抽出画像ごとに表示させる表示制御手段と、
を有する画像集約装置。
【請求項２】
コンピュータを、
入力装置により入力される検索用文字情報に基づき、該検索用文字情報に関連する画像情報を抽出画像として複数抽出する抽出手段、
前記抽出手段により抽出された複数の抽出画像の少なくとも１つが文字列と図柄とを備えた抽出画像であり、かつ、該文字列を示す面積が該図柄を示す面積より大きい場合に、該抽出画像が文字列で構成されると判定する判定手段、
前記文字列を拡大して表示させるための文字列表示領域を前記抽出画像の数に応じて生成するとともに、関心領域処理に基づいて、抽出された前記複数の抽出画像から集約画像を生成する生成手段、
前記生成手段により生成された集約画像を表示させるとともに、前記生成手段により生成された文字列表示領域のそれぞれに、前記判定手段により文字列で構成されると判定された抽出画像と、前記抽出画像が備える文字列と、を当該抽出画像ごとに表示させる表示制御手段、
として機能させるための画像集約プログラム。
【発明の詳細な説明】
【技術分野】
【０００１】
本発明は、複数の画像をステンドグラス状に集約して表示させる画像集約装置に関し、特に、集約後の各画像内の文字の可読性を高める画像集約装置に関する。
【背景技術】
【０００２】
画像用の検索エンジン等で検索結果として抽出され、表示装置上に縮小されて表示される画像（以下、抽出画像という。）は、その抽出画像内の文字の可読性が劣る場合がある。例えば、特許文献１では、ＰＤＡや携帯電話等の小型移動装置上で画像や文字等を表示させるに際し、表示領域に多くの情報量を表示させるために、画像や文字等を透過的に重ね合わせることが開示されている。
【０００３】
また、特許文献２では、関心領域処理（ＲＯＩ（Region Of Interest）処理）に基づき、複数の抽出画像をステンドグラス状に集約することで、小さな表示領域であっても多くの情報量を表示できることが開示されている。
【０００４】
【特許文献１】特開２００５−３２２２１３号公報
【特許文献２】特開２００６−９２５５６号公報
【発明の開示】
【発明が解決しようとする課題】
【０００５】
ところで、上述したようなステンドグラス状に抽出画像を集約して生成される画像（以下、集約画像という。）の表示においては、その集約画像を構成する各画像内に含まれる文字が縮小されたり、他の抽出画像によって各画像内の文字が分断されたりすることで文字の可読性が劣る可能性がある。
【０００６】
本発明は、このような事情に鑑みてなされたものであり、集約画像が生成されたことにより、集約画像を構成する画像内の文字の可読性が劣ることを抑制する画像集約装置及び画像集約プログラムを提供することを目的とする。
【課題を解決するための手段】
【０００７】
請求項１に記載の発明は、入力装置により入力される検索用文字情報に基づき、該検索用文字情報に関連する画像情報を抽出画像として複数抽出する抽出手段と、抽出手段により抽出された複数の抽出画像の少なくとも１つが文字列と図柄とを備えた抽出画像であり、かつ、該文字列を示す面積が該図柄を示す面積より大きい場合に、該抽出画像が文字列で構成されると判定する判定手段と、文字列を拡大して表示させるための文字列表示領域を抽出画像の数に応じて生成するとともに、関心領域処理に基づいて、抽出された複数の抽出画像から集約画像を生成する生成手段と、生成手段により生成された集約画像を表示させるとともに、生成手段により生成された文字列表示領域のそれぞれに、判定手段により文字列で構成されると判定された抽出画像と、抽出画像が備える文字列と、を当該抽出画像ごとに表示させる表示制御手段と、を有する画像集約装置である。
【００１５】
請求項２に記載の発明は、コンピュータを、入力装置により入力される検索用文字情報に基づき、該検索用文字情報に関連する画像情報を抽出画像として複数抽出する抽出手段、抽出手段により抽出された複数の抽出画像の少なくとも１つが文字列と図柄とを備えた抽出画像であり、かつ、該文字列を示す面積が該図柄を示す面積より大きい場合に、該抽出画像が文字列で構成されると判定する判定手段、文字列を拡大して表示させるための文字列表示領域を抽出画像の数に応じて生成するとともに、関心領域処理に基づいて、抽出された複数の抽出画像から集約画像を生成する生成手段、生成手段により生成された集約画像を表示させるとともに、生成手段により生成された文字列表示領域のそれぞれに、判定手段により文字列で構成されると判定された抽出画像と、抽出画像が備える文字列と、を当該抽出画像ごとに表示させる表示制御手段、として機能させるための画像集約プログラムである。
【発明の効果】
【００１６】
請求項１に記載の発明によれば、集約画像を構成する画像内の文字の可読性が劣ることを抑制することができる。
【００２４】
請求項２に記載の発明によれば、集約画像を構成する画像内の文字の可読性が劣ることを抑制することができる。
【発明を実施するための最良の形態】
【００２５】
以下、本発明の最良の実施形態について図面を参照して説明する。
（第１実施形態）
図１は本発明の実施形態に係る画像集約装置の構成図である。
画像集約装置は、図１に示すように、検索部１１、結果分析部１２、データ管理部１３、データベース１４、テキスト生成部１５、ＳＧ（Stained Glass）生成部１６、表示制御部１７等から構成される。尚、テキスト生成部１５、ＳＧ生成部１６、表示制御部１７等から本発明の表示制御手段が構成される。
【００２６】
また、画像集約装置は、いわゆるコンピュータ、すなわち、図２に示すように、ＣＰＵ１０ａ等の処理装置、ＳＲＡＭ(Static Random Access Memory)、ＤＲＡＭ(Dynamic RAM)やＳＤＲＡＭ（Synchronous DRAM）、ＮＶＲＡＭ（Non Volatile RAM）等のＲＡＭ１０ｂ、フラッシュメモリ等のＲＯＭ(Read Only Memory)１０ｃ、入力装置や表示装置等の外部機器との入出力を行うＩ／Ｆ１０ｄ、図示しないハードディスク等の磁気ディスク等がバス１０ｅにより接続されたハードウェア構成により実現される。
【００２７】
したがって、ＣＰＵ１０ａがＲＯＭ１０ｃやハードディスクに格納された所要のプログラムを読み込み、当該プログラムに従った演算を行うことにより、画像集約装置内の各機能が実現される。尚、このようなプログラムとしては後述するフローチャートに応じたプログラムとすることができる。
【００２８】
検索部１１は、キーボードやマウス等の入力装置からの指示に基づき、集約用の画像をインターネットや社内ＬＡＮ等から検索する。より詳しくは、図３に示すように、液晶ディスプレイやＣＲＴディスプレイ等の表示装置に表示される表示画像のうち、画像検索用の入力ボックス２１の文字情報に応じた画像を検索する。表示画像としては例えばＷｅｂブラウザ２０等がある。図３においては例えば文字情報「ＧＣＣ」が入力ボックス２１に入力されているため、文字情報「ＧＣＣ」を有する画像又はこれに関連する画像を検索する。検索結果として抽出された抽出画像は、結果分析部１２に送信される。
【００２９】
結果分析部１２は、検索部１１から送信される抽出画像を受信し、当該抽出画像が文字のみから構成されるか、図柄のみから構成されるか、これらが混在するか否かを分析する。
データ管理部１３は、結果分析部１２による分析結果に応じて、抽出画像を区別してデータベース１４に格納する。
【００３０】
テキスト生成部１５は、データ管理部１３に対しデータベース１４から文字のみから構成される抽出画像の送信要求を出力する。さらに、テキスト生成部１５は、当該要求に基づき抽出画像を取得すると、抽出画像内の文字列を取得して、文字列を表示するための文字列表示領域（以下、テキストレイヤという。）を生成し、当該テキストレイヤ内の各表示レイヤに文字列を追加していく。文字列が追加されたテキストレイヤは表示制御部１７に送信される。
【００３１】
ＳＧ生成部１６は、データ管理部１３に対しデータベース１４から図柄のみから構成される抽出画像の送信要求を出力する。さらに、ＳＧ生成部１５は、当該要求に基づき抽出画像を取得すると、抽出画像内の図柄を取得して、関心領域処理に基づいて、ステンドグラス状の画像（集約画像）を生成する。このような画像を生成する場合には、上述した特許文献２に開示される技術や、特開２００５−２９３５７６号公報、特開２００５−２９３５７７号公報等に開示される技術を利用することができる。
【００３２】
表示制御部１７は、テキスト生成部１５で生成されるテキストレイヤ、ＳＧ生成部１６で生成される集約画像を表示装置に表示させる。
【００３３】
続いて、画像集約装置の動作について図面を参照して説明する。
図４は画像集約装置の動作の一例を示すフローチャート、図５は実施形態に係る抽出画像と表示結果を説明するための図、図６は実施形態に係る抽出画像と表示結果を説明するための他の図、図７は実施形態に係る表示画像と比較例に係る表示画像の一例である。
【００３４】
画像集約装置は、図４に示すように、まず、検索用文字情報に応じたページ内のテキストボックスをすべて取得する（ステップＳ１）。より詳しくは、抽出画像が、図５（ａ）に示すような、文字のみから構成され、各文字列が所定の区画で区切られているようなページである場合に、入力ボックス２１に入力された文字情報、例えば「ＧＣＣ」を含むページ内のすべてのテキストボックス取得する。この結果、同図におけるテキストボックスＢｘ４、Ｂｘ６、Ｂｘ９、Ｂｘ１０を取得する。そして、取得したこれらのテキストボックスを取得した順に領域番号ｉ＝１、２、３、４を付与する。
【００３５】
画像集約装置は、次いで、取得したテキストボックスが１番目のテキストボックスであるか否かを判定する（ステップＳ２）。ここで、１番目のテキストボックスであるか否かは、取得したテキストボックスを左上から右下にかけて取得していった場合に、最初に取得対象となったテキストボックスを１番目のテキストボックスとする。この結果、図５に示すテキストボックスＢｘ４が１番目のテキストボックスとなる。
【００３６】
画像集約装置は、次いで、取得したテキストボックスが１番目である場合、当該テキストボックスの左上隅を最小座標値（Ｘｍｉｎ、Ｙｍｉｎ）、右下隅を最大座標値（Ｘｍａｘ、Ｙｍａｘ）とする（ステップＳ３）。したがって、１番目のテキストボックスを取得した時点では、Ｘｍｉｎ＝Ｘ１０、Ｙｍｉｎ＝Ｙ１０、Ｘｍａｘ＝Ｘ１１、Ｙｍａｘ＝Ｙ１１となる。
【００３７】
画像集約装置は、次いで、取得したテキストボックスが最後のテキストボックスであるか否かを判定する。図５によれば、最後のテキストボックスは領域番号ｉ＝４のテキストボックスＢｘ１０であるため、次の領域番号ｉ＝２として、Ｘ２０がＸｍｉｎより小さいか否かを判定する（ステップＳ５）。そして、Ｘ２０がＸｍｉｎより小さい場合には、Ｘｍｉｎを新たにＸ２０とし（ステップＳ６）、そうでない場合には、ステップＳ６の処理を行わない。
【００３８】
画像集約装置は、同様に、Ｙ２０がＹｍｉｎより小さいか否かを判定する（ステップＳ７）。そして、Ｙ２０がＹｍｉｎより小さい場合には、Ｙｍｉｎを新たにＹ２０とし（ステップＳ８）、そうでない場合には、ステップＳ８の処理を行わない。
【００３９】
画像集約装置は、次いで、Ｘ２１がＸｍａｘより大きいか否かを判定する（ステップＳ９）。そして、Ｘ２１がＸｍａｘより大きい場合には、Ｘｍａｘを新たにＸ２１とし（ステップＳ１０）、そうでない場合には、ステップＳ１０の処理を行わない。
【００４０】
画像集約装置は、同様に、Ｙ２１がＹｍａｘより大きいか否かを判定する（ステップＳ１１）。そして、Ｙ２１がＹｍａｘより大きい場合には、Ｙｍａｘを新たにＹ２１とし（ステップＳ１２）、そうでない場合には、ステップＳ１２の処理を行わない。
【００４１】
画像集約装置は、ステップＳ４の処理において最後のテキストボックスであると判定した場合、すなわち、本実施形態によればｉ＝４が終了した場合に、後続の処理に移行する。このようにステップＳ５からステップＳ１２の処理を繰り返すことにより、図５においては、Ｂｘ９（ｉ＝３）の左上隅のＸ座標：Ｘ３０がＸｍｉｎに、Ｂｘ４（ｉ＝１）の右下隅のＸ座標：Ｘ１１がＸｍａｘに、Ｂｘ４（ｉ＝１）の左上隅のＹ座標：Ｙ１９がＹｍｉｎに、Ｂｘ９（ｉ＝３）の右下隅のＹ座標：Ｙ３１がＹｍａｘになる。この結果、座標（Ｘｍｉｎ，Ｙｍｉｎ）と座標（Ｘｍａｘ，Ｙｍａｘ）で構成される矩形の仮想領域ＡＲ内のテキストがテキストレイヤ生成対象となる。この仮想領域ＡＲはレイヤ生成対象として所定の区画を含む最大の矩形となっている。尚、当該仮想領域ＡＲをテキストＧＥＲＭという。
【００４２】
画像集約装置は、次いで、ページ内のすべてのテキストボックスを取得して左上から右下にかけて領域番号ｊ＝１，２，・・・を割り当てた上で、ｊ番目のテキストボックスを取得し（ステップＳ１３）、当該テキストボックスの座標がＸｍｉｎ≦Ｘｉ０かつＹｍｉｎ≦Ｙｉ０かつＸｍａｘ≧Ｘｉ１かつＹｍａｘ≧Ｙｉ１か否かを判定する（ステップＳ１４）。そして、これらの判定条件が満たされた場合には、ｊ番目のテキストを取得し、今まで取得したテキストがある場合に当該テキストと結合する（ステップＳ１５）。このような処理の結果、ｊ＝１となるテキストボックスＢｘ１は結合（集約）対象から除外され、ｊ＝３となるテキストボックスＢｘ３が結合対象となる。
【００４３】
画像集約装置は、ここで、結合したテキストが最後のテキストであるか否かを判定し（ステップＳ１６）、最後のテキストでない場合には、ステップＳ１３からステップＳ１５までの処理を繰り返す。画像集約装置は、最後のテキストを結合し終えると、結合したテキストをデータベースに保存し（ステップＳ１７）、処理を終了する。
【００４４】
このような処理による結果、テキストレイヤでは、図５（ｂ）に示すように、１つの表示レイヤ３１内に結合されたテキストボックス内のテキストがテキストボックスごとに段落に分けられて表示される。そして、他の表示レイヤ３２等には、他の抽出画像で結合されたテキストボックス内のテキストが表示される。これにより文章全体の把握が容易になる。
【００４５】
また、図６（ａ）に示すように、仮想領域ＡＲで囲わずに、取得したテキストボックスだけで構成されるテキストボックス内のテキストを結合対象として含めるようにしてもよい。同図によれば、上述したテキストボックスＢｘ４、６、９、１０に含まれるテキストをテキストレイヤ内の表示レイヤ３１に表示させるようにしてもよい。これにより、携帯電話やＰＤＡ等の情報携帯端末で制限された表示領域でより多くの情報を表示できる。
【００４６】
尚、本実施形態においては、抽出画像（ページ）に検索用文字情報を含むテキストボックスが複数あったため、仮想領域ＡＲをテキストＧＥＲＭとしたが、テキストボックスが１つである場合には、当該テキストボックスをテキストＧＥＲＭとしてもよい。また、検索用文字情報を含まない抽出画像である場合には、フォントが一番大きいテキストボックス、上部に配置されるテキストボックス、中央に配置されるテキストボックス、他のページに含まれないテキストボックス等をテキストＧＥＲＭとしてもよい。
【００４７】
図７は本実施形態に係る表示画像と比較例に係る表示画像とを説明するための図である。本実施形態に係る表示画像は、図７（ａ）に示すように、上述したテキストレイヤ３３がＷｅｂブラウザ２０等に表示される。一方、比較例に係る表示画像は、図７（ｂ）に示すように、検索用文字情報に基づいて抽出された抽出画像が縮小されてＷｅｂブラウザ２０等に表示される。このように、比較例において抽出画像が縮小され、その結果抽出画像内の文字の可読性が劣るという事象が、本発明の実施形態に係る画像集約装置により抑制される。
【００４８】
（第２実施形態）
続いて、本発明の第２実施形態について図面を参照して説明する。
図８は画像集約装置の動作の一例を示すフローチャート、図９は比較用の表示結果の一例である。
【００４９】
画像集約装置は、図８に示すように、まず、検索用文字情報に基づいてインターネットや社内ＬＡＮ等から検索処理を行い（ステップＳ２１）、検索用文字情報に応じた抽出画像を取得する（ステップＳ２２）。
【００５０】
画像集約装置は、次いで、抽出画像がテキスト（文字列）のみから構成されるか否かを判定する（ステップＳ２３）。画像集約装置は、抽出画像がテキストのみから構成されると判定した場合には、第１実施形態で説明したように、ページ順にページデータを取得し（ステップＳ２４）、テキストボックスに含まれるテキストを取得し（ステップＳ２５）、当該テキストを最後のテキストまで表示レイヤに追加していき（ステップＳ２６、Ｓ２７）、テキストの追加が終了すると表示装置等にテキストレイヤを表示させる（ステップＳ２８）。
【００５１】
一方、画像集約装置は、抽出画像がテキストのみから構成されていないと判定した場合には、次いで、抽出画像が画像情報（図柄）のみから構成されるか否かを判定する（ステップＳ２９）。画像集約装置は、抽出画像がテキストのみから構成されると判定した場合には、検索結果に基づくすべての抽出画像を取得し（ステップＳ３０）、これらの画像からＳＧ作成を行い（ステップＳ３１）、図９に示すように、表示装置等にステンドガラス状の画像（集約画像）を表示する（ステップＳ３２）。
【００５２】
一方、画像集約装置は、抽出画像が画像情報のみから構成されていないと判定した場合、すなわち、テキスト情報と画像情報との混在であると判定した場合には、ページ順にページデータを取得する（ステップＳ３３）。そして、取得したページデータが画像ＧＥＲＭか否かを判定する（ステップＳ３４）。
【００５３】
画像集約装置は、ページデータが画像ＧＥＲＭでないと判定した場合、すなわちテキストＧＥＲＭであると判定した場合には、当該テキストＧＥＲＭに含まれるテキストを取得する。ここで、取得したページデータが画像ＧＥＲＭであるか否かは、画像を示す面積をＰ、１ページ全体の画像面積Ａ、テキストを示す面積をＴとした場合に、（Ｐ／Ａ）＞（１／３）又はＰ≧Ｔを満たす場合に画像ＧＥＲＭと判定され、そうでない場合には、テキストＧＥＲＭと判定される。尚、画像を示す面積Ｐは、図１０（ａ）に示す数式で表され、テキストを示す面積Ｔは、図１０（ｂ）に示す数式で表される。また、ａｂｓは絶対値を示す記号である。
【００５４】
画像集約装置は、ページデータがテキストＧＥＲＭであると判定した場合には、テキストＧＥＲＭに含まれるテキストを取得し（ステップＳ３５）、当該テキストを表示レイヤに追加していく（ステップＳ３６）。そして、画像集約装置は、当該ページデータが最後のページデータであったか否かを判定する（ステップＳ３７）。
【００５５】
一方、画像集約装置は、ページデータが画像ＧＥＲＭであると判定した場合には、当該ページデータを画像ページとして一時保存し（ステップＳ３８）、表示レイヤに画像のサムネイルを追加する（ステップＳ３９）。
【００５６】
画像集約装置は、取得したページデータのすべてに対しステップＳ３５からステップＳ３９の処理を終了すると、画像ページからＳＧ作成処理を行い（ステップＳ４０）、テキストレイヤを表示して（ステップＳ４１）、処理を終了する。
【００５７】
この結果、図１１に示すように、検索用文字情報「ＧＣＣ」に基づく集約画像３６がＷｅｂブラウザ２０等に表示されるとともに、併せて、テキストレイヤ３３が表示され、当該テキストレイヤ３３には、表示レイヤ３１内に集約画像３６を構成する画像のサムネイル画像と、構成する画像が備える文字列が表示される。一方、図１２に示すように、抽出画像２５をＷｅｂブラウザ２０等に縮小して表示させたままでは集約画像３６を構成する画像に含まれる文字の可読性は望ましくない。
【００５８】
また、図１３に示すように、集約画像３６を構成する一の画像を指示画像としてのポインタＰｔで指示すると、集約画像の元となった画像に含まれる文字がテキストレイヤ３３に拡大して表示される。このように、集約元の画像に含まれる文字が集約されたことで分断されたり、縮小されたりすることとなっても、集約画像３６に含まれる文字の可読性が落ちることを抑制する。
【００５９】
尚、同図においてはテキストレイヤ３３と集約画像３６との重なる領域に関しては、テキストレイヤ３３の表示レイヤ３１，３２を不透明にすることで表示レイヤ３１，３２内のテキストの読み易くしているが、テキストレイヤ３３内の表示レイヤ３１，３２を透明にし、テキストレイヤ３３の下の画像をテキストレイヤ３３の上から視認できるようにしてもよく、さらに、その透明度が設定されるようにしてもよい。これによりテキストレイヤ３３により隠れる画像の視認性が向上する。
【００６０】
（その他の実施形態）
以下において上述したテキストＧＥＲＭと画像ＧＥＲＭとが混在した場合における表示例について図面を参照して説明する。
図１４は画像集約装置における抽出画像の一例、図１５及び図１６は集約画像における表示レイヤの表示例、図１７、図１８及び図１９は集約画像における表示レイヤの他の表示例、図２０は画像集約装置における他の抽出画像の一例及び集約画像における表示レイヤの表示例である。
【００６１】
画像集約装置は、抽出画像の一例として図１４に示すような画像を取得し、他に抽出した画像ととともに図１５や図１６に示すような集約画像を生成して表示装置等に表示させた場合、それぞれの図に示すように、集約後における画像内であって、文字列が記載された文字列領域内の文字列をポインタＰｔで触れると、当該文字列を拡大して表示させる。尚、拡大された文字列は集約画像上であっても集約画像上以外の場所であってもよい。
【００６２】
また、画像集約装置は、抽出画像の一例として図１４に示すような画像を取得し、他に抽出した画像ととともに図１７、図１８や図１９に示すような集約画像を生成して表示装置等に表示させた場合、それぞれの図に示すように、文字列以外の指示位置にポインタＰｔで触れることより表示する文字列を変化させてもよい。
【００６３】
この場合、表示させる文字列は図１４に示す全体ページのレイアウトに対応させてもよく、例えば図１７であれば、指示位置に最も近い「住宅所有の関係別割合全国（平成１５年）」と表示させることができる。このような表示制御は、切り出し領域中心（図１７等では真ん中の画像の中心）から見て、上部に指示位置がある場合は、切り出し画像の物理的上部に配置される文字列を表示させてもよい。
【００６４】
また、画像集約装置は、抽出画像の一例として図２０（ａ）に示すような画像を取得し、他に抽出した画像ととともに図２０（ｂ）に示すような集約画像を生成して表示装置等に表示させた場合、同図に示すように指示位置に最も近い文字列を表示させてもよい。このような場合においても抽出画像２５の中心からその距離を基準にして最も近い文字列をテキストレイヤ３３に表示させてもよい。
【００６５】
以上、本発明の好ましい実施形態について詳述したが、本発明に係る特定の実施形態に限定されるものではなく、特許請求の範囲に記載された本発明の要旨の範囲内において、種々の変形・変更が可能である。例えば、本発明のプログラムを通信手段により提供することはもちろん、ＣＤ−ＲＯＭ等の記録媒体に格納して提供することも可能である。
【産業上の利用可能性】
【００６６】
本発明によれば、集約画像中の抽出画像内の文字の可読性が劣ることを抑制することができ、産業上の利用可能性が高い。
【図面の簡単な説明】
【００６７】
【図１】画像集約装置の構成図である。
【図２】画像集約装置のハードウェア構成を示すブロック図である。
【図３】検索画面の一例である。
【図４】画像集約装置の動作の一例を示すフローチャートである。
【図５】実施形態に係る抽出画像と表示結果を説明するための図である。
【図６】実施形態に係る抽出画像と表示結果を説明するための他の図である。
【図７】実施形態に係る表示画像と比較例に係る表示画像の一例である。
【図８】画像集約装置の動作の一例を示すフローチャートである。
【図９】集約画像の一例である。
【図１０】画像ＧＥＲＭとテキストＧＥＲＭの面積を算出するための数式である。
【図１１】実施形態に係る表示結果の一例である。
【図１２】比較例に係る表示結果の一例である。
【図１３】実施形態に係る表示結果の他の一例である。
【図１４】抽出画像の一例である。
【図１５】集約画像の一例である。
【図１６】集約画像の一例である。
【図１７】集約画像の一例である。
【図１８】集約画像の一例である。
【図１９】集約画像の一例である。
【図２０】抽出画像と集約画像の一例である。
【符号の説明】
【００６８】
１０ａ  ＣＰＵ
１０ｂ  ＲＡＭ
１０ｃ  ＲＯＭ
１０ｄ  Ｉ／Ｆ
１０ｅ  バス
１１  検索部
１２  結果分析部
１３  データ管理部
１４  データベース
１５  テキスト生成部
１６  ＳＧ生成部
１７  表示制御部
２０  Ｗｅｂブラウザ
２１  入力ボックス
２５  抽出画像
３１、３２  表示レイヤ
３３  テキストレイヤ
３６  集約画像
ＡＲ  仮想領域
Ｐｔ  ポインタ
Ｂｔ  検索ボタン
【図１】
0005186863.tif 000002
【図２】
0005186863.tif 000003
【図３】
0005186863.tif 000004
【図４】
0005186863.tif 000005
【図５】
0005186863.tif 000006
【図６】
0005186863.tif 000007
【図７】
0005186863.tif 000008
【図８】
0005186863.tif 000009
【図９】
0005186863.tif 000010
【図１０】
0005186863.tif 000011
【図１１】
0005186863.tif 000012
【図１２】
0005186863.tif 000013
【図１３】
0005186863.tif 000014
【図１４】
0005186863.tif 000015
【図１５】
0005186863.tif 000016
【図１６】
0005186863.tif 000017
【図１７】
0005186863.tif 000018
【図１８】
0005186863.tif 000019
【図１９】
0005186863.tif 000020
【図２０】
0005186863.tif 000021